(57)【要約】【課題】  手洗い器の前方への手洗い水の飛散を防止する。【解決手段】  予め、容器４０の上蓋４１と下蓋４２を開け固形の洗浄剤５０を入れて閉め、水受け部材３０の一対の軸３３を容器４０の例えば一対の軸穴４７に軸支させて容器４０を水受け部材３０に取り付けておく。そして、容器４０を水タンク１の四角い上蓋２の上面３の凹部４の底部６の手洗い水流入口７の上に載せ、この際、突起４５を手洗い水流入口７に入れるようにする。突起４６が底部６に載り、容器４０の下蓋４２の底面４９と底部６の間に隙間６０が空く。次に、水受け部材３０を前方に回動して凹部内の前側に斜めに凹部４の手前側端縁に凭せ掛けるように載置する。このとき、水受け部材３０の先端部がタンク１の上面３の手前側端縁より前方に突出する。【選択図】        図７
2006340815.tif 000002
【特許請求の範囲】
【請求項１】
手洗い空間を形成する凹部、該凹部に手洗い水を吐出する手洗い水吐出管、当該凹部の底に形成された手洗い水流入口とが上面に設けられた手洗い器に用いる手洗い水飛散防止具であって、
板状に形成され、手洗い器上面の凹部内の前側に斜めに凹部の手前側端縁に凭せ掛けるように載置させたとき先端部が手洗い器上面の手前側端縁より前方に突出して手洗い器上面の手前側へ飛んだ水を受ける水受け部材と、
水受け部材の基端側端部に設けられて、水受け部材を手洗い器上面の凹部内で安定させる安定部材と、
を設けたことを特徴とする手洗い水飛散防止具。
【請求項２】
安定部材は、水受け部材の基端側端部の中央に設けられて、手洗い水流入口に係止する係止部材としたこと、
を特徴とする請求項１記載の手洗い水飛散防止具。
【請求項３】
安定部材は、水受け部材の基端側端部の中央に固着され、かつ、手洗い水流入口に一部が摺動自在に嵌るように形成したこと、
を特徴とする請求項１記載の手洗い水飛散防止具。
【請求項４】
手洗い器は水タンクとの兼用型であり、安定部材は、内部に洗浄剤、漂白剤、殺菌剤の内、１以上を収納可能な水の出入りする孔付の容器とし、手洗い器上面の凹部の底の手洗い水流入口の上に載置可能としたこと、
を特徴とする請求項３記載の手洗い水飛散防止具。
【請求項５】
安定部材の底に、手洗い水流入口内に入る凸部を設けたこと、
を特徴とする請求項１記載の手洗い水飛散防止具。
【請求項６】
安定部材の底に、手洗い器上面の凹部の底に載る凸部を設けたこと、
を特徴とする請求項１または５記載の手洗い水飛散防止具。
【請求項７】
手洗い器は水タンクとの兼用型であり、安定部材は、水受け部材の基端側端部に固着されて、内部に洗浄剤、漂白剤、殺菌剤の内、１以上を収納可能な水の出入りする孔付の容器とし、手洗い器上面の凹部の底の手洗い水流入口の上に載置可能としたこと、
を特徴とする請求項１または５または６記載の手洗い水飛散防止具。
【請求項８】
水受け部材は、安定部材に対し着脱自在としたこと、
を特徴とする請求項１または５または６記載の手洗い水飛散防止具。
【請求項９】
水受け部材は、前後方向に回動自在に基端側端部が安定部材に支持されるようにしたこと、
を特徴とする請求項１または５または６または８記載の手洗い水飛散防止具。
【請求項１０】
手洗い器は水タンクと兼用型であり、安定部材は、内部に洗浄剤、漂白剤、殺菌剤の内、１以上を収納可能な水の出入りする孔付の容器とし、手洗い器上面の凹部の底の手洗い水流入口の上に載置可能としたこと、
を特徴とする請求項１または５または６または８または９記載の手洗い水飛散防止具。
【発明の詳細な説明】
【技術分野】
【０００１】
本発明は手洗い水飛散防止具に係り、とくに水洗トイレ等に設置されて、手洗い空間を形成する凹部、該凹部に手洗い水を吐出する手洗い水吐出管、当該凹部の底に形成された手洗い水流入口とが上面に設けられた手洗い器に用いて好適な手洗い水飛散防止具に関する。
【背景技術】
【０００２】
水洗トイレには図１の如く手洗い器兼用水タンクが設置されて便器の水洗とともに手洗いが出来るようになっている。図１において、手洗い器兼用水タンク（以下、単に「水タンク」という）１の四角い上蓋２の上面３には、手洗い空間を形成する凹部４と手洗い水吐出管５が設けられており、凹部４の底部６の真中には水タンク内に水を流入させる手洗い水流入口７が穿設されている。図示しない水洗レバーを回すと、水タンク内の水が便器に流れて水洗されるとともに、手洗い水吐出管５から手洗い水（符号Ｗ）が流出し、凹部４の底部６の手洗い水流入口７の近くに落ち、底部６を伝って手洗い水流入口７から水タンク内に流入する。水タンク内に水が一定量溜まると自動的に手洗い水吐出管５からの手洗い水の吐出が止まる。手洗い水が吐出している間に凹部４の空間に手を入れて手洗いできるが、このとき注意しないと手洗い中に手に当たった水がタンク１の手前の外側まで飛散して床を水で汚してしまったり（図１の水滴Ａ、Ｂ参照）、手洗い後に手を振って水を凹部４の中に落とそうとしたときに、タンク１の手前の外側まで飛散して床を水で汚してしまったりする（図２の水滴Ｃ参照）。とくに子供が手洗いしたときにかかる問題が生じやすい。
【０００３】
従来の手洗い水の飛散防止具には、タンク上蓋の上方空間の内、前側を除く周囲を囲むものがあるが（特許文献１）、前側が開いているためタンクの前方への手洗い水の飛散を防止することができなかった。
【０００４】
【特許文献１】登録実用新案第３０２３７４５号公報
【発明の開示】
【発明が解決しようとする課題】
【０００５】
本発明は上記した従来の問題に鑑み、手洗い器の前方への手洗い水の飛散を防止できる手洗い水飛散防止具を提供することを、その目的とする。
【課題を解決するための手段】
【０００６】
請求項１の発明は、手洗い空間を形成する凹部、該凹部に手洗い水を吐出する手洗い水吐出管、当該凹部の底に形成された手洗い水流入口とが上面に設けられた手洗い器に用いる手洗い水飛散防止具であって、板状に形成され、手洗い器上面の凹部内の前側に斜めに凹部の手前側端縁に凭せ掛けるように載置させたとき先端部が手洗い器上面の手前側端縁より前方に突出して手洗い器上面の手前側へ飛んだ水を受ける水受け部材と、水受け部材の基端側端部に設けられて、水受け部材を手洗い器上面の凹部内で安定させる安定部材と、を設けたことを特徴としている。
請求項２の発明は、安定部材は、水受け部材の基端側端部の中央に設けられて、手洗い水流入口に係止する係止部材としたこと、を特徴としている。
請求項３の発明は、安定部材は、水受け部材の基端側端部の中央に固着され、かつ、手洗い水流入口に一部が摺動自在に嵌るように形成したこと、を特徴としている。
請求項４の発明は、手洗い器は水タンクとの兼用型であり、安定部材は、内部に洗浄剤、漂白剤、殺菌剤の内、１以上を収納可能な水の出入りする孔付の容器とし、手洗い器上面の凹部の底の手洗い水流入口の上に載置可能としたこと、を特徴としている。
請求項５の発明は、安定部材の底に、手洗い水流入口内に入る凸部を設けたこと、を特徴としている。
請求項６の発明は、安定部材の底に、手洗い器上面の凹部の底に載る凸部を設けたこと、を特徴としている。
請求項７の発明は、手洗い器は水タンクとの兼用型であり、安定部材は、水受け部材の基端側端部に固着されて、内部に洗浄剤、漂白剤、殺菌剤の内、１以上を収納可能な水の出入りする孔付の容器とし、手洗い器上面の凹部の底の手洗い水流入口の上に載置可能としたこと、を特徴としている。
請求項８の発明は、水受け部材は、安定部材に対し着脱自在としたこと、を特徴としている。
請求項９の発明は、水受け部材は、前後方向に回動自在に基端側端部が安定部材に支持されるようにしたこと、を特徴としている。
請求項１０の発明は、手洗い器は水タンクと兼用型であり、安定部材は、内部に洗浄剤、漂白剤、殺菌剤の内、１以上を収納可能な水の出入りする孔付の容器とし、手洗い器上面の凹部の底の手洗い水流入口の上に載置可能としたこと、を特徴としている。
【発明の効果】
【０００７】
本発明によれば、安定部材を手洗い器上面の凹部の底に設置するとともに水受け部材を凹部の手前側端縁に凭せ掛けるようにして手洗い水飛散防止具を手洗い器上面に載置すると、水受け部材の先端部が手洗い器上面の手前側端縁から前方に突出した姿勢となる。従って、手洗い時に手洗い水吐出管から吐出した手洗い水が手に当たって撥ね手洗い器上面の手前側に飛んだり、手洗い後に振った手から水滴が手洗い器上面の手前側に飛んでも水受け部材に当たるため、手洗い器の前方の床に手洗い水が飛散したりすることはない。
安定部材を手洗い水流入口に係止する係止部材とするか、または、手洗い水流入口に一部が摺動自在に嵌るように形成したことで、簡単な構成で水受け部材の姿勢を安定させると同時に位置ずれの防止を行うことができる。
安定部材の底に、手洗い水流入口に入る凸部を設けたことにより、水受け部材の位置ずれの防止を行うことができる。
また、安定部材の底に、手洗い器上面の凹部の底に載る凸部を設けたことにより、安定部材の下に隙間を確保し、手洗い水を円滑に手洗い水流入口に流入させることができる。
手洗い器が水タンクとの兼用型の場合、安定部材を内部に洗浄剤、漂白剤、殺菌剤の内、１以上を収納可能で、水の出入りする孔付の容器とすることにより、手洗い水の飛散防止とともにタンク内の洗浄等も行える。
安定部材に対して水受け部材を着脱自在としたことにより、水受け部材を安定部材から取り外し、手洗い器上面の後部に置き後ろの壁に凭せ掛けて、手洗いで手洗い器上面の後方に飛んだ水滴が壁に飛散するのを防止することもできる。
安定部材に対して水受け部材を前後方向に回動自在としたことにより、凹部の大きさが異なる種々の手洗い器に対して適用できる。
【発明を実施するための最良の形態】
【０００８】
水受け部材はプラスチック板により略扇状または略四角状とし、水受け部材を手洗い器上面の凹部内の前側に斜めに凹部の手前側端縁に凭せ掛けるように載置したとき、水受け部材の先端部が手洗い器上面の凹部の手前側端縁より前方へ突出するようにする。手洗い中に手に当たって撥ねた手洗い水または手洗い後に手を振ったため飛んだ水滴が手洗い器上面の手前に飛んでも水受け部材に当たって、手洗い器前方の床下に飛散するのを防止できる。水受け部材を下に凸となるように皿状に湾曲させておけば、水受け部材に当たった手洗い水が水受け部材の手側端縁から床に滴り落ちることもない。水受け部材は基端側端部の中央に設けた安定部材により手洗い器上面の凹部内での姿勢を安定させる。
水受け部材を安定部材に対し前後方向に回動自在に設けることで、手洗い器上面の凹部のサイズが種々異なっていても、容易に水受け部材を手洗い器上面の凹部の手前側端縁に凭せ掛けて手洗い器上面の凹部内の前側に載置することができる。また、安定部材を水受け部材に対し着脱自在とすることで、水受け部材を安定部材から取り外し、手洗い器上面の後部に置き後ろの壁に凭せ掛けて、手洗いで手洗い器上面の後方に飛んだ水滴が壁に飛散するのを防止することもできる。
手洗い器が水タンクと兼用の場合には、安定部材を内部に洗浄剤または漂白剤または殺菌剤を収納可能で手洗い水の出入りする孔付の容器とし、手洗い器上面の凹部の底の手洗い水流入口の上に載置可能としたことで、タンク内の洗浄等も可能となる。
安定部材の底に手洗い水流入口に入る凸部を設けて位置ずれを防止できる。これと異なり、安定部材を手洗い水流入口に係止する係止部材としたり、手洗い水流入口に一部が摺動自在に嵌るように形成したことで、簡単な構成で水受け部材の姿勢を安定させると同時に位置ずれの防止を行うことができる。
安定部材の底に、手洗い器上面の凹部の底に載る凸部を設けたことにより、安定部材の下に隙間を確保し、手洗い水を円滑に手洗い水流入口に流入させることができる。
【実施例１】
【０００９】
図３は本発明の第１の実施例に係る手洗い水飛散防止具を示す平面図、図４は図３の側面図、図５は図４のＶ−Ｖ´線に沿った断面図である。
図４乃至図６において、２０は手洗い水飛散防止具であり、この内、３０は撥水性と曲げ弾性を有するプラスチック板により中心角が１８０度近くの略扇状に形成されるとともに下に凸となるように断面が皿状に湾曲した水受け部材であり、この水受け部材３０は水洗トイレの手洗い器兼用水タンク（以下、「水タンク」という）の上蓋の上面に設けられた手洗い空間を形成する凹部内の前側に斜めに凹部の手前側端縁に凭せ掛けるように載置され、先端部が手洗い器上面の手前側端縁より前方に８〜１０ｃｍ程度突出して水タンク上面の手前側へ飛んだ水が当たるようになっている。４０は水受け部材３０の水タンク上面の凹部内での姿勢を安定させる安定部材としての容器であり、この実施例では水受け部材３０の基端側端縁（水タンクの上蓋の凹部の内部に入る端縁側）３１の中央部に形成された半円状の切欠３２に遊嵌するように設けられており、水タンク上面の凹部の底の手洗い水流入口の上に載置される。容器４０は互いに着脱自在な上下２つの上蓋４１、下蓋４２から成り、内部に固形の洗浄剤５０を収納可能である。上蓋４１には丸孔状の複数の手洗い水の流入孔４３、下蓋４２には丸孔状の１つの手洗い水の流出孔４４が穿設されている。下蓋４２の底面４９には手洗い水流入口に遊嵌して位置ずれを防止する突起４５と、下蓋４２と凹部の底部との間に手洗い水が流れる隙間を確保する突起４６が設けられている。容器４０の上蓋４１の左右両側には上下２段に各々一対の軸穴４７と一対の軸穴４８が設けられており、一方、水受け部材３０の基端側端縁３１の切欠３２の左右両側には一対の軸３３が設けられており、この一対の軸３３が一対の軸穴４７または一対の軸穴４８に着脱自在かつ容器４０に対し水受け部材３０が前後方向に回動自在に軸支されている。
なお、水受け部材３０の容器４０への取り付けは、水受け部材３０の左右の一対の軸３３の両外側に力を加えて曲げ軸間を開き、一対の軸穴４７または一対の軸穴４８に一対の軸３３を差し込んで行い、取り外しは、水受け部材３０の左右の一対の軸３３の両外側に力を加えて曲げ軸間を開き、一対の軸穴４７または一対の軸穴４８から一対の軸３３を抜いて行う。水受け部材３０は水タンクの凹部が深いときは上段の一対の軸穴４８に軸支させ、凹部が浅いときは下段の一対の軸穴４７に軸支させると良い。
水受け部材３０は容器４０が水タンク上面の凹部の底部の手洗い水流入口の上に在る状態で前側に回動すると水タンク上面の凹部の手前側端縁に斜め前方姿勢で凭せ掛けることができ（図６、図７参照）、反対に後側に回動すると手洗い水吐出管５に斜め後方姿勢で凭せ掛けることができる（図８参照）。
【００１０】
図６乃至図９は手洗い水飛散防止具の使用方法の説明図であり、以下これらの図を参照して上記した実施例の作用を説明する。
予め、容器４０の上蓋４１と下蓋４２を開け固形の洗浄剤５０を入れて閉め、水受け部材３０の一対の軸３３を容器４０の例えば一対の軸穴４７に軸支させて容器４０を水受け部材３０に取り付けておく。そして、図６の如く容器４０を水タンク１の四角い上蓋２の上面３の凹部４の底部６の手洗い水流入口７の上に載せ、この際、突起４５を手洗い水流入口７に入れるようにする。突起４６が底部６に載り、容器４０の下蓋４２の底面４９と底部６の間に隙間６０が空く。次に、水受け部材３０を前方に回動して凹部内の前側に斜めに凹部４の手前側端縁に凭せ掛けるように載置する。このとき、水受け部材３０の先端部がタンク１の上面３の手前側端縁より前方（図６の左方）に８〜１０ｃｍ程度突出する。
【００１１】
図示しないレバーを回すと、タンク１から便器に水が流れ、図７の如く手洗い水吐出管５から手洗い水Ｗが凹部４の手洗い水流入口７の近くに向けて吐出する。吐出した手洗い水は、容器４０に当たり、容器４０の周辺から容器４０の底面４９と凹部４の底部６との隙間６０を通ったり、容器４０の流入孔（図３、図４、図５の符号４３参照）から容器内に入り、洗浄剤５０を溶かしながら流出孔（図５の符号４４参照）から出たりしたのち手洗い水流入口７から水タンク１の中に流入する。水タンク１の中に一定量の水が溜まると、自動的に手洗い水吐出管５からの手洗い水の吐出が止まる。手洗い水Ｗが吐出している間に手を手洗い水流の中に入れて洗う。このとき、注意しないと手に当たった手洗い水が水タンク１の上面の前方へ撥ねることがあるが、水受け部材３０の先端部に落ちるため、水タンク１の前側の床に飛散するのが防止される（図７の符号Ｄ、Ｅ参照）。また手洗い後に凹部４の中で手を振って水切りしたときも水滴が水タンク１の上面の前方へ飛ぶことがあるが、水受け部材３０の先端部に落ちるため、水タンク１の前側の床に飛散するのが防止される。水受け部材３０に落ちた水の量が多くても、水受け部材３０が皿状に湾曲しているため側端縁から床へ落ちずに凹部４の中へ流れる。
手洗いが完了後、水受け部材３０を凹部４の前端縁に凭せ掛けたままとしても良いが、図８の如く後側に回動し手洗い水吐出管５に凭せ掛けて手洗い水吐出管５を隠し、水受け部材３０の裏面に貼った絵（図示せず）によりトイレの装飾をしても良い。
なお、凹部４が小さいなどして水受け部材３０を凹部４に置き難い場合、図９の如く容器４０から外し、基端側の切欠３２の両側を水タンク１の上面３の内、手洗い水吐出管５の脇に載せ、先端を水タンク１の背後の壁７０に立てかけて手洗い中や手洗い後に手を振ったときに手洗い水が水タンク１の上面３の後方に奥に飛んでも水受け部材３０に当たり、背後の壁７０を水滴で汚さないようにもできる（図９の符号Ｆ、Ｇ参照）。
【００１２】
この実施例によれば、水タンク１の上面の凹部４の手洗い水流入口７の上に容器４０を載置し、水受け部材３０を前側に回動して凹部４の前端縁に凭せ掛けると、水受け部材３０の先端部が水タンク１の上面から前方へ突出する。水受け部材３０を単独で凹部４の前端縁に凭せ掛けようとすると不安定になって傾いたり、凹部４の中で後方に滑ったりするが、固形の洗浄剤入りの容器４０に基端側端部が支持されているため姿勢が安定する。また、容器４０の突起４５が手洗い水流入口７の中に入るため、水受け部材３０の位置ずれも起きない。手洗い時に手に当たった手洗い水が水タンク１の上面の前方へ撥ねることがあるが、水受け部材３０の上端部に落ちるため、水タンク１の前側の床に飛散するのが防止される。また手洗い後に凹部４の中で手を振って水切りしたときも水滴が水タンク１の上面の前方へ飛ぶことがあるが、水受け部材３０の先端部に落ちるため、水タンク１の前側の床に飛散するのが防止される。水受け部材３０に落ちた水の量が多くても、水受け部材３０が皿状に湾曲しているため側端縁から床へ落ちずに凹部４へ流れる。
また、手洗い水流入口７の上に載置されて手洗い水が当たる容器４０に手洗い水の流入孔４３、流出孔４４を設けるとともに、容器４０の中に洗浄剤を収納可能としたので、水タンク１の中の洗浄も可能となる。
また、容器４０の底面４９の突起４５が凹部４０の底部６の上に載って容器４０と底部６の間に隙間６０を形成するため、容器４０に当たった手洗い水は容器４０の周りに溜まることなく隙間６０を通って円滑に手洗い水流入口７に流入することができる。
また、手洗い後、手洗い水飛散防止具を後側に回動し手洗い水吐出管５に凭せ掛けて手洗い水吐出管５を隠し、水受け部材３０の裏面に貼った絵によりトイレの装飾をしたり、水受け部材３０を凹部４に置き難い場合に、水受け部材３０を容器４０から外し、基端側端縁を水タンク１の上面３の内、手洗い水吐出管５の脇に載せ、先端を水タンク１の背後の壁７０に立てかけて手洗い中や手洗い後に手を振ったときに手洗い水が水タンク１の上面３の後方に飛んでも水受け部材３０に当たり、背後の壁７０を水滴で汚さないようにできる。この場合、容器４０を凹部４の底部６の手洗い水流入口７の上に載せておくことで、引き続き洗浄することができる。
【００１３】
次に、本発明の第２の実施例を説明する。図１０は本発明の第２の実施例の手洗い水飛散防止具を示す平面図、図１１は図１０の側面図、図１２は図１０の背面図である。
これらの図において、２０Ａは手洗い水飛散防止具であり、この内、３０Ａは撥水性と曲げ弾性を有するプラスチック板により中心角が１８０°近くの略扇状に形成されるとともに下に凸となるように断面が皿状に湾曲した水受け部材であり、この水受け部材３０Ａは水タンク上面の凹部内の前側に斜めに凹部の手前側端縁に凭せ掛けるように載置され、上端部が水タンクの手前側端縁より前方に８〜１０ｃｍ程度突出して水タンクの手前側へ飛んだ水が当たるようになっている。４０Ａは水受け部材３０Ａの水タンクの凹部内での姿勢を安定させる安定部材としての全体が丸みを帯びた略半球状の容器であり、この実施例では水受け部材３０Ａの基端側端縁（手洗い器の上蓋の凹部の内部に入る端縁側）３１Ａの中央部に形成された半円状の切欠３２Ａに嵌着されている。容器４０Ａは、水タンクの凹部の底の手洗い水流入口より大径であり、手洗い水流入口に載置すると一部が手洗い水流入口に嵌った状態で摺動自在となる。容器４０Ａは互いに着脱自在な上下２つの上蓋４１Ａ、下蓋４２Ａから成り、内部に固形の洗浄剤を収納可能である。上蓋４１Ａには丸孔状の複数の手洗い水の流入孔４３Ａ、下蓋４２Ａには長溝状の複数の手洗い水の流出孔４４Ａが穿設されている。
容器４０Ａを水タンク上面の凹部の底の手洗い水流入口に載せ、容器４０Ａの一部が手洗い水流入口に嵌った状態で容器４０Ａと一体的に水受け部材３０Ａを前側に回動すると、水タンク上面の凹部の手前側端縁に斜め前方姿勢で凭せ掛けることができ（図１３参照）、反対に後側に回動すると水タンク上面の手洗い水吐出管に斜め後方姿勢で凭せ掛けることができる（図１４参照）。
【００１４】
図１３と図１４は手洗い水飛散防止具の使用方法の説明図であり、以下これらの図を参照して上記した実施例の作用を説明する。
予め、容器４０Ａの上蓋４１Ａと下蓋４２Ａを開け洗浄剤を入れて閉めておく。そして、容器４０Ａを水タンク１の四角い上蓋２の上面３の凹部４の底部６の手洗い水流入口７の上に載せる。容器４０Ａの一部が手洗い水流入口７に嵌まった状態のまま水受け部材３０Ａを容器４０Ａと一体的に前方に回動して凹部内の前側に斜めに凹部４の手前側端縁に凭せ掛けるように載置する。このとき、水受け部材３０Ａの上端部がタンク１の上面３の手前側端縁より前方に８〜１０ｃｍ程度突出する（図１３）。
【００１５】
図示しないレバーを回すと、水タンク１から便器に水が流れ、手洗い水吐出管５から手洗い水が凹部４の手洗い水流入口７の近くに向けて吐出する。吐出した手洗い水は、容器４０Ａの流入孔４３Ａから容器内に入り、洗浄剤を溶かしながら流出孔４４Ａから出て手洗い水流入口７から水タンク１の中に流入する。水タンク１の中に一定量の水が溜まると、自動的に手洗い水吐出管５からの手洗い水の吐出が止まる。手洗い水が吐出している間に手を手洗い水流の中に入れて洗う。このとき、手に当たった手洗い水が水タンク１の上面の前方へ撥ねても水受け部材３０Ａの先端部に落ちるため、水タンク１の前側の床に飛散するのが防止される。また手洗い後に凹部４の中で手を振って水切りしたときも水滴が水タンク１の上面の前方へ飛ぶことがあるが、水受け部材３０Ａの先端部に落ちるため、水タンク１の前側の床に飛散するのが防止される。水受け部材３０Ａに落ちた水の量が多くても、水受け部材３０Ａが皿状に湾曲しているため側端縁から床へ落ちずに凹部４の中へ流れる。
手洗い完了後、水受け部材３０Ａを水タンク１の凹部４の前端縁に凭せ掛けたままとしても良いが、図１４の如く後側に回動し手洗い水吐出管５に凭せ掛けて手洗い水吐出管５を隠し、水受け部材３０Ａの裏面に貼った図示しない絵によりトイレの装飾をしても良い。
【００１６】
第２の実施例によれば、水タンク１の上面２の凹部４の手洗い水流入口７の上に容器４０Ａを載置し、水受け部材３０Ａを前側に回動して凹部４の前端縁に凭せ掛けると、水受け部材３０Ａの先端部が水タンク１の上面２から前方へ突出する。水受け部材３０Ａを単独で凹部４の前端縁に凭せ掛けようとすると不安定になって傾いたり、凹部４の中で後方に滑ったりするが、固形の洗浄剤入りの容器４０Ａに基側端縁が支持されているため姿勢が安定する。また、容器４０Ａの一部が手洗い水流入口７に嵌った状態となるため、水受け部材３０Ａの位置ずれも起きない。手洗い時に手に当たった手洗い水が水タンク１の上面２の前方へ撥ねることがあるが、水受け部材３０Ａに落ちるため、水タンク１の前側の床に飛散するのが防止される。また手洗い後に凹部４の上で手を振って水切りしたときも水滴が水タンク１の上面２の前方へ飛ぶことがあるが、水受け部材３０Ａに落ちるため、水タンク１の前側の床に飛散するのが防止される。水受け部材３０Ａに落ちた水の量が多くても、水受け部材３０Ａの断面が皿状に湾曲しているため側端縁から床へ落ちずに凹部４の中へ流れる。
また、手洗い水流入口７の上に載置されて手洗い水が当たる容器４０Ａに手洗い水の流入孔４３Ａ、流出孔４４Ａを設けるとともに、容器４０Ａの中に洗浄剤を収納可能としたので、水タンク１の中の洗浄も可能となる。
また、手洗い完了後、手洗い水飛散防止具２０Ａを後側に回動し手洗い水吐出管５に凭せ掛けて手洗い水吐出管５を隠し、水受け部材３０Ａの裏面に貼った図示しない絵によりトイレの装飾することもできる。
【００１７】
次に、本発明の第３の実施例を説明する。図１５は本発明の第３の実施例に係る手洗い水飛散防止具を示す平面図、図１６は図１５の側面図、図１７は図１５の背面図である。
これらの図において、２０Ｂは手洗い水飛散防止具であり、この内、３０Ｂは撥水性を有するプラスチック板により略方形に形成されるとともに下に凸となるように断面が皿状に湾曲した水受け部材であり、この水受け部材３０Ｂは水タンクの凹部内の前側に斜めに凹部の手前側端縁に凭せ掛けるように載置され、先端部が水タンク上面の手前側端縁より前方に８〜１０ｃｍ程度突出して水タンクの手前側へ飛んだ水が当たるようになっている。４０Ｂは水受け部材３０Ｂの水タンクの凹部内での姿勢を安定させる安定部材としての略Ｌ字状に形成された係止部材であり、この実施例では水受け部材３０Ｂの基端側端縁（水タンク上蓋の凹部の内部に入る端縁側）３１Ｂの中央部裏側に固着されている。
係止部材４０Ｂを水タンク上面の凹部の手洗い水流入口に差し込んだ状態で、水受け部材３０Ｂを前側に回動すると、水タンク上面の凹部の手前側端縁に斜め前方姿勢で凭せ掛けることができる。
【００１８】
図１８は手洗い水飛散防止具の使用方法の説明図であり、以下この図を参照して上記した実施例の作用を説明する。
係止部材４０Ｂを水タンク１の上蓋２の上面３に形成された凹部４の底部６の手洗い水流入口７に差し込み、水受け部材３０Ｂを前側に回動して、水タンク１の凹部４の手前側端縁に斜め前方姿勢で凭せ掛けるように載置する。このとき、水受け部材３０Ｂの先端部が水タンク１の上面３の手前側端縁より前方に８〜１０ｃｍ程度突出する。係止部材４０Ｂが手洗い水流入口７に係止されているため、水受け部材３０Ｂは姿勢が安定する。
手洗い水が吐出している間に手を手洗い水流の中に入れて洗ったとき、手に当たった手洗い水が水タンク１の上面の前方へ撥ねても水受け部材３０Ｂの先端部に落ちるため、水タンク１の前側の床に飛散するのが防止される。また手洗い後に凹部４の上で手を振って水切りしたときも水タンク１の上面の前方へ飛ぶことがあるが、水受け部材３０Ｂの先端部に落ちるため、水タンク１の前側の床に飛散するのが防止される。水受け部材３０Ｂに落ちた水の量が多くても、水受け部材３０Ｂが皿状に湾曲しているため側端縁から床へ落ちずに凹部４の中へ流れる。
【００１９】
第３の実施例によれば、係止部材４０Ｂを水タンク１の上面の凹部４の手洗い水流入口７に差し込み、水受け部材３０Ｂを前側に回動して凹部４の前端縁に凭せ掛けると、水受け部材３０Ｂの先端部が水タンク１の上面から前方へ突出する。水受け部材３０Ｂを単独で凹部４の前端縁に凭せ掛けようとすると不安定になって傾いたり、凹部４の中の方に滑ったりするが、係止部材４０Ｂが手洗い水流入口７に係止しており、水受け部材３０Ｂの姿勢が安定するとともに位置ずれも起きない。手洗い時に手に当たった手洗い水が水タンク１の上面の前方へ撥ねることがあるが、水受け部材３０Ｂの先端部に落ちるため、水タンク１の前側の床に飛散するのが防止される。また手洗い後に凹部４の中で手を振って水切りしたときも水滴が水タンク１の上面の前方へ飛ぶことがあるが、水受け部材３０Ｂの先端部に落ちるため、水タンク１の前側の床に飛散するのが防止される。水受け部材３０Ｂに落ちた水の量が多くても、水受け部材３０Ｂが断面皿状に湾曲しているため側端縁から床へ落ちずに凹部４の中へ流れる。
【００２０】
なお、上記した各実施例では、水受け部材を断面皿状に湾曲させたが、フラットに形成しても良い。また、容器には固形の洗浄剤を入れるようにしたが、固形の洗浄剤、漂白剤、殺菌剤、芳香剤の内、任意の１つまたは２以上を組み合わせて入れるようにしても良い。
【産業上の利用可能性】
【００２１】
本発明は、トイレの手洗い器兼用水タンク、洗面台などに適用できる。
【図面の簡単な説明】
【００２２】
【図１】手洗い器兼用水タンクでの手洗い時の問題点の説明図である。
【図２】手洗い器兼用水タンクでの手洗い時の問題点の説明図である。
【図３】本発明に係る手洗い水飛散防止具の平面図である（実施例１）。
【図４】図３の側面図である。
【図５】図４のＶ−Ｖ´線に沿った断面図である。
【図６】手洗い水飛散防止具の使用方法の説明図である。
【図７】手洗い水飛散防止具の使用方法の説明図である。
【図８】手洗い水飛散防止具の使用方法の説明図である。
【図９】手洗い水飛散防止具の使用方法の説明図である。
【図１０】本発明に係る他の手洗い水飛散防止具の平面図である（実施例２）。
【図１１】図１０の側面図である。
【図１２】図１０の背面図である。
【図１３】図１０の手洗い水飛散防止具の使用方法の説明図である。
【図１４】図１０の手洗い水飛散防止具の使用方法の説明図である。
【図１５】本発明に係るさらに他の手洗い水飛散防止具の平面図である（実施例３）。
【図１６】図１５の側面図である。
【図１７】図１５の背面図である。
【図１８】図１５の手洗い水飛散防止具の使用方法の説明図である。
【符号の説明】
【００２３】
１  手洗い器兼用水タンク
３  上面
４  凹部
５  手洗い水吐出管
６  底部
７  手洗い水流入口
２０、２０Ａ、２０Ｂ  手洗い水飛散防止具
３０、３０Ａ、３０Ｂ  水受け部材
３１、３１Ａ、３１Ｂ  基端側端縁
３２、３２Ａ  切欠
３３  軸
４０、４０Ａ  容器
４０Ｂ  係止部材
４３、４３Ａ  流入孔
４４、４４Ａ  流出孔
４５、４６  突起
４７、４８  軸穴
５０  洗浄剤
６０  隙間
７０  壁
【図１】
2006340815.tif 000003
【図２】
2006340815.tif 000004
【図３】
2006340815.tif 000005
【図４】
2006340815.tif 000006
【図５】
2006340815.tif 000007
【図６】
2006340815.tif 000008
【図７】
2006340815.tif 000009
【図８】
2006340815.tif 000010
【図９】
2006340815.tif 000011
【図１０】
2006340815.tif 000012
【図１１】
2006340815.tif 000013
【図１２】
2006340815.tif 000014
【図１３】
2006340815.tif 000015
【図１４】
2006340815.tif 000016
【図１５】
2006340815.tif 000017
【図１６】
2006340815.tif 000018
【図１７】
2006340815.tif 000019
【図１８】
2006340815.tif 000020